(57)【特許請求の範囲】
【請求項１】
操作部と、
プリント基板と、
前記操作部と前記プリント基板とに挟まれ、前記プリント基板を保持するための壁部及び爪部を有した弾性部材と、
前記操作部の少なくとも一部を露出する開口部、内側に形成され前記開口部の周囲に形成され前記操作部を包囲し前記弾性部材が嵌入された周壁部、前記プリント基板を前記弾性部材側に押す押圧部、を有した筐体と、を備えた電子装置。
【請求項２】
可撓性を有した前記プリント基板が固定され前記押圧部が当接した支持板を備えている、請求項１の電子装置。
【請求項３】
前記弾性部材は、前記操作部及びプリント基板の双方を位置決めする位置決め部を有している、請求項１又は２の電子装置。
【請求項４】
前記プリント基板は、前記操作部への操作を検出するセンサが実装され、
前記弾性部材は、前記センサを包囲する凹部を有している、請求項１乃至３の何れかの電子装置。
【請求項５】
前記プリント基板は、前記操作部への操作に応じて状態が切り替わるスイッチが実装され、
前記弾性部材は、前記スイッチを包囲する凹部を有している、請求項１乃至３の何れかの電子装置。
【請求項６】
前記弾性部材は、弾性変形した状態で前記周壁部に嵌合している、請求項１乃至５の何れかの電子装置。
【発明の詳細な説明】
【技術分野】
【０００１】
本発明は、電子装置に関する。
【背景技術】
【０００２】
電子装置に設けられる操作部には、防水、防塵性を考慮したものがある。
【先行技術文献】
【特許文献】
【０００３】
【特許文献１】特開２００６−３１８４９８号公報
【発明の概要】
【発明が解決しようとする課題】
【０００４】
操作部が設けられた筐体内には、以下のような部品が収納される。操作部と、プリント基板と、操作部とプリント基板とに挟まれる防水、防塵用の弾性部材と、プリント基板を弾性部材に固定するためにプリント基板を弾性部材とで挟む固定部材とが収納されている。これらが組み付けられた状態で、筐体内に収納される。このように、電子装置に操作部を設ける場合には、部品点数が増大する傾向にある。
【０００５】
本発明は、部品点数が削減された電子装置を提供することを目的とする。
【課題を解決するための手段】
【０００６】
本明細書に開示の電子装置は、操作部と、プリント基板と、前記操作部と前記プリント基板とに挟まれた弾性部材と、前記操作部の少なくとも一部を露出する開口部、内側に形成され前記開口部の周囲に形成され前記操作部を包囲し前記弾性部材が嵌合した周壁部、前記プリント基板を前記弾性部材側に押す押圧部、を有した筐体と、を備えている。
【発明の効果】
【０００７】
部品点数が削減された電子装置を提供できる。
【図面の簡単な説明】
【０００８】
【図１】図１Ａ、１Ｂは、本実施例の携帯電話の説明図である。
【図２】図２Ａ、２Ｂは、本実施例の携帯電話の説明図である。
【図３】図３は、筐体の分解斜視図である。
【図４】図４は、筐体の分解斜視図である。
【図５】図５は、図３の部分拡大図である。
【図６】図６は、図４の部分拡大図である。
【図７】図７Ａは、図２ＢのＡ―Ａ断面図であり、図７Ｂは、図２ＢのＢ−Ｂ断面図である。
【図８】図８は、凹部とセンサとの位置関係を示す断面図である。
【発明を実施するための形態】
【０００９】
携帯電話を電子装置の一例として説明する。
図１Ａ〜２Ｂは、本実施例の携帯電話の説明図である。携帯電話１は、筐体１０、２０を有している。筐体１０、２０は、所定の範囲をスライド可能に連結されている。換言すれば、筐体１０、２０は、重畳され、開閉可能に連結されている。図１Ａ、１Ｂは、閉じた状態の携帯電話１を示し、図２Ａ、２Ｂは、開いた状態の携帯電話１を示している。図１Ａ、２Ａは、携帯電話１の正面図である。図１Ｂは、携帯電話１を下方から見た図である。図２Ｂは、携帯電話１を横から見た図である。
【００１０】
筐体１０は、正面１１、背面１２を有している。筐体２０は、正面２１、背面２２を有している。閉じた状態では、筐体１０の正面１１と筺体２０の背面２２とが対向する。開いた状態、つまり筐体１２０が筐体１１０に対してスライドした状態では、筐体１０の正面１１が露出する。筐体１０の正面１１には、携帯電話１を操作するためのキーボード部Ｋ、操作部４０が設けられている。本実施例の携帯電話１における操作部４０は、例えばトラックボールである。操作部４０周囲には、操作部４０に向かって下り傾斜した傾斜面１４が形成されている。操作部４０の操作を容易にするためである。筐体２０の正面２１には、操作に応じて所望の画像を表示するディスプレイＤが設けられている。
【００１１】
図３、４は、筐体１０の分解斜視図である。尚、図３、４においては、一部の部品のみを示している。筐体１０は、互いに組み付けられるケース１０ａ、１０ｂを含む。ケース１０ａには、操作部４０の少なくとも一部を露出する開口部１２ａが形成されている。ケース１０ａにはキーボードシートＫＳが配置され、プリント基板Ｐｂはケース１０ｂ側に固定される。ケース１０ｂには押圧部１９が形成されている。押圧部１９はリブ状である。
【００１２】
図４に示すように、ケース１０ａの開口部１２ａ周囲には周壁部１３が形成されている。周壁部１３は、ケース１０ａの内側に突出するように形成されている。ケース１０ａ側にはプリント基板Ｐａが設けられている。ケース１０ａ、１０ｂとの間には、弾性部材３０、操作部４０、弾性部材５０、基板６０が収納される。具体的には、弾性部材３０、操作部４０は周壁部１３内に収納され、弾性部材５０は周壁部１３に嵌合し、基板６０は押圧部１９により弾性部材５０側に押し付けられた状態で、ケース１０ａ、１０ｂ内にこれらが収納される。即ち、弾性部材３０、操作部４０は周壁部１３に包囲される。
【００１３】
図５は、図３の部分拡大図である。図６は、図４の部分拡大図である。図６に示すように、ケース１０ａの周壁部１３は、開口部１２ａを囲む４つの壁を含む。各壁の縁には凹状の切欠部１６が形成されている。周壁部１３には周壁部１３から内側に突出した突出壁１３３が形成されている。尚、突出壁１３３は、突出壁１３３が設けられている壁に対向する、図６では見えていない壁の内側部分にも設けられている。
【００１４】
弾性部材３０は、ゴム製であり中心部に操作部４０を逃がすための開口部３２が形成されている。弾性部材３０の縁には２つの切欠部３３が形成されている。弾性部材３０が周壁部１３内に収納した際に、弾性部材３０の切欠部３３は突出壁１３３に当接する。これにより、周壁部１３内で弾性部材３０が位置決めされる。
【００１５】
図５に示すように、操作部４０は、操作体４２、操作体４２を回転操作及び押下げ操作に支持する支持部材４１、を有している。操作体４２は略球状である。操作体４２は操作部４０の正面側に設けられている。操作部４０が周壁部１３内に配置された際には操作体４２の一部が開口部１２ａから露出する。これにより、操作体４２は外部から操作することができる。支持部材４１には、操作体４２に連動して回転する４つの磁石４４が支持されている。具体的には、支持部材４１には、操作体４２に連動して回転する４つの軸が設けられており、この軸のそれぞれに磁石４４が固定されている。尚、２つの軸の方向は、他の２つの軸の方向と直行している。
【００１６】
図６に示すように、支持部材４１の底面側には片持ち状に支持された押下部材４５が設けられている。操作体４２は、支持部材４１内でバネ等により正面側に付勢されている。このバネに付勢力に抗して操作体４２が押下げられることにより、操作体４２が押下部材４５を押す。尚、支持部材４１の底面側には２つの突部４８が形成されている。
【００１７】
弾性部材５０は、ゴム製である。弾性部材３０、操作部４０が周壁部１３内に収納された状態で周壁部１３に嵌合する。これにより、開口部１２ａを介してケース１０ａ、１０ｂ内に水や埃が浸入することが防止される。弾性部材５０は、略矩形状であり板状のベース部５１、ベース部５１の正面側に形成された周壁部５３、ベース部５１の裏面側に形成された壁部５２、を有している。弾性部材５０の周壁部５３がケース１０ａの周壁部１３よりも内側に位置するようにして、弾性部材５０は周壁部１３に嵌合する。図６に示すように、壁部５２は、ベース部５１の裏面側の縁に沿うように部分的に形成されている。ベース部５１の裏面側の縁部には爪部５７が形成されている。ベース部５１には、図５に示すように正面側から見ると窪んでおり、図６に示すように裏面側から見ると突出した２つの位置決め部５８が形成されている。
【００１８】
ベース部５１の隅には、凹部５４が形成されている。凹部５４は、操作部４０の磁石４４に位置的に対応している。ベース部５１の略中央には、凹部５５が形成されている。凹部５５は、操作部４０の押下部材４５に位置的に対応している。凹部５４、５５は、図５に示すようにベース部５１の正面側から見ると突出しているが、図６に示すようにベース部５１の裏面側から見ると窪んでいる。また、図５に示すように、周壁部５３の外側には位置決め部５６が形成されている。位置決め部５６は、周壁部５３の角辺の略中央にそれぞれ設けられている。
【００１９】
基板６０は、可撓性を有したフレキシブルプリント基板（以下、ＦＰＣと称する）６１、ＦＰＣ６１を支持し剛性を有した支持板６２、を含む。ＦＰＣ６１は、支持板６２に固定されている。ＦＰＣ６１は支持板６２の正面側に固定されている。ＦＰＣ６１は可撓性を有しているので、ＦＰＣ６１の湾曲防止のためにＦＰＣ６１の一部が支持板６２に固定されている。従って、支持板６２は、ＦＰＣ６１よりも硬ければよい。ＦＰＣ６１の先端は、プリント基板ＰａのコネクタＣに差し込まれる。これにより、ＦＰＣ６１とプリント基板Ｐａとは電気的に接続される。
【００２０】
図５に示すように、ＦＰＣ６１の正面側には、４つのセンサ６４が実装されている。センサ６４は、凹部５４、磁石４４と位置的に対応している。センサ６４は、磁石４４の回転を検出する磁気センサである。操作体４２に連動して磁石４４が回転するので、センサ６４は磁石４４の回転を検出することにより操作体４２への回転操作を検出することができる。
【００２１】
ＦＰＣ６１の正面側にはスイッチ６５が実装されている。スイッチ６５は、凹部５５、押下部材４５と位置的に対応している。操作体４２が押下げされることにより、押下部材４５が押下げされる。押下部材４５は、凹部５５を介してスイッチ６５を押す。これにより、スイッチ６５のオン、オフの状態が切り替わる。これにより、操作体４２の押下げ操作の有無が検出される。センサ６４、スイッチ６５は、支持板６２で支持されたＦＰＣ６１の部分に実装されている。
【００２２】
基板６０の互いに対向する２辺の縁部には切欠部６７が形成されている。また、基板６０には２つの孔部６８が形成されている。
【００２３】
ケース１０ａ、１０ｂの組付け作業について説明する。最初に、弾性部材５０の裏面側に基板６０を組み付ける作業について説明する。作業者は、基板６０の縁を、弾性部材５０の裏面側に形成された壁部５２に押し付ける。次に、作業者は、基板６０の切欠部６７と弾性部材５０の爪部５７とが対応するようにして、基板６０を弾性部材５０側に押し付ける。これにより、位置決め部５８と孔部６８とが嵌合する。このようにして、弾性部材５０に対して基板６０が位置決めされる。尚、壁部５２や爪部５７は、基板６０を弾性部材５０に組み付ける際に基板６０の位置を規定する機能を有している。壁部５２や爪部５７により、弾性部材５０への基板６０の組付け作業が容易になる。
【００２４】
次に、作業者は、周壁部１３の内側に弾性部材３０、操作部４０を順に配置して、基板６０を保持した弾性部材５０を周壁部１３に嵌入させる。この際に、作業者は、弾性部材５０の位置決め部５６が周壁部１３の切欠部１６に係合するようにして、弾性部材５０を周壁部１３に嵌入させる。これにより、周壁部１３に対して弾性部材５０の位置が規定される。また、この際、作業者は、操作部４０の突部４８が弾性部材５０の位置決め部５８に係合するようにして、弾性部材５０を周壁部１３に嵌入させる。これにより、弾性部材５０に対する操作部４０の位置が規定される。
【００２５】
また、周壁部５３が若干変形した状態で周壁部１３に嵌合する。このため、周壁部５３の弾性復元力により、周壁部５３と周壁部１３とは密着し、防水性、防塵性が向上する。また、組付け作業時において、一旦周壁部１３に嵌入させた弾性部材５０が外れてしてしまうことを防止している。
【００２６】
次に、作業者は、ＦＰＣ６１の先端をプリント基板Ｐａに実装されたコネクタＣに挿入する。次に、作業者は、ケース１０ｂの押圧部１９が基板６０を押すようにしてケース１０ａ、１０ｂを組み付ける。このようにして、弾性部材３０、操作部４０、弾性部材５０、基板６０がケース１０ａ、１０ｂ内に収納される。
【００２７】
図７Ａは、図２ＢのＡ―Ａ断面図である。図７Ｂは、図２ＢのＢ−Ｂ断面図である。図７Ａ，７Ｂは、筐体１０が完成した状態での断面図である。尚、図７Ａ、７Ｂにおいては、ケース１０ｂの裏面側に配置されるケース１０ｃも示している。図７Ａ、７Ｂに示すように、基板６０は押圧部１９により弾性部材５０側に押されている。これにより、基板６０、弾性部材５０、操作部４０、弾性部材３０は、ケース１０ａ側に押されてこれらの位置が規定される。この状態においては、弾性部材３０は操作部４０とケース１０ａとの間で圧縮された状態となる。弾性部材３０によっても、開口部１２ａからの水や埃の浸入が防止される。
【００２８】
ケース１０ｂの押圧部１９は、基板６０の裏面側、即ち支持板６２の裏面に当接している。これにより、弾性部材５０から基板６０が離脱することが防止される。このように押圧部１９は、基板６０を固定する機能を有している。このような押圧部１９がケース１０ｂに一体に形成されている。このため、基板６０を弾性部材５０に固定するための部材をケース１０ｂとは別に設けた場合と比較して部品点数が削減されている。
【００２９】
また、上述したように、基板６０は、ＦＰＣ６１を支持している支持板６２を有し、押圧部１９は支持板６２に当接している。即ち、押圧部１９はＦＰＣ６１には当接しない。このため、押圧部１９がＦＰＣ６１のパターンに当接することによりＦＰＣ６１の導通性に影響を与えることが防止されている。尚、基板６０が一枚の硬質のプリント基板であった場合、このプリント基板のパターンが形成されていない部分を押圧部１９が押すようにしてもよい。
【００３０】
また、図７Ａ、７Ｂに示すように、ケース１０ａ、１０ｂの組付け後では、弾性部材５０の凹部５５がスイッチ６５を包囲している。このため、例えケース１０ａ、１０ｂ側に水が浸入したとしてもスイッチ６５が被水することが防止される。また、スイッチ６５への防塵性も確保される。
【００３１】
図８は、凹部５４とセンサ６４との位置関係を示す断面図である。尚、図８は、ケース１０ａ、１０ｂ内に弾性部材３０、操作部４０、弾性部材５０、基板６０が収納された状態での断面図であり、操作部４０については図示を省略してある。弾性部材５０の凹部５４は、センサ６４を包囲している。これによってもセンサ６４の被水が防止される。また、これによってセンサ６４への防塵性も確保される。
【００３２】
また、図５、６に示したように、操作部４０の突部４８は、弾性部材５０の位置決め部５８に嵌合し、位置決め部５８は基板６０の孔部６８に嵌合する。このように、弾性部材５０は、操作部４０、基板６０を位置決めしている。これにより、操作部４０と基板６０との相対位置のずれが抑制される。これにより、磁石４４とセンサ６４との位置ズレに起因したセンサ６４の検出精度の低下や、押下部材４５とスイッチ６５との位置ズレに起因したスイッチ６５の操作性の低下などが防止される。
【００３３】
弾性部材５０に形成された位置決め部５８は、操作部４０、基板６０の双方を位置決めしている。このため、弾性部材５０に設けられる位置決め部５８の数が減少され、弾性部材５０の大型化が抑制される。
【００３４】
尚、弾性部材５０の位置決め部５８は、表面側に突出し、裏面側が窪んでいてもよい。この場合、位置決め部５８に嵌合する突部が基板６０側に設けられており、位置決め部５８が嵌合する孔部又は凹部が操作部４０側に設けられていればよい。
【００３５】
以上本発明の好ましい一実施形態について詳述したが、本発明は係る特定の実施形態に限定されるものではなく、特許請求の範囲に記載された本発明の要旨の範囲内において、種々の変形・変更が可能である。
【００３６】
尚、上記実施例においては、スライド式の携帯電話を例に説明したが、ヒンジ機構を有した開閉式の携帯電話であってもよい。また、本発明は、携帯電話以外の携帯装置にも適用できる。例えば、タブレット型コンピュータ、ノート型コンピュータ、電子辞書、ＰＤＡ、ゲーム機等である。また、本発明は、据置型の電子装置にも採用できる。例えば、デスクトップ型コンピュータに使用されるキーボード装置、ゲーム機、電話機、電化製品等である。また、本発明は、電子装置を操作するためのポインティングデバイス単体にも採用できる。
【００３７】
上記実施例において、操作部の一例としてトラックボールを例に説明した。しかし、操作部は、レバー、ジョイスティック、ステッィクポイント、押下げ可能なボタン、回転可能なホイールやノブ等であってもよい。また、操作部は、タッチパネルであってもよい。
【符号の説明】
【００３８】
１  携帯電話
１０、２０  筐体
１２ａ  開口部
１３  周壁部
１９  押圧部
４０  操作体
４１  支持部材
４２  操作体
４４  磁石
４５  押下部材
４８  突部
５０  弾性部材
５１  ベース部
５３  周壁部
５４、５５  凹部
５８  位置決め部
６０  基板
６１  フレキシブルプリント基板
６２  支持板
６４  センサ
６５  スイッチ
６８  孔部
【図１】
0005685988.tif 000002
【図２】
0005685988.tif 000003
【図３】
0005685988.tif 000004
【図４】
0005685988.tif 000005
【図５】
0005685988.tif 000006
【図６】
0005685988.tif 000007
【図７】
0005685988.tif 000008
【図８】
0005685988.tif 000009